(57)【特許請求の範囲】
【請求項１】
室内の壁面に取り付けて周囲から取り入れた空気を調和して吹出口から略水平方向乃至下方向に向けて送出する空気調和機において、
前記吹出口から上方に向けて調和空気を送出できるようにし、
前記吹出口は略水平方向乃至下方向に空気を導く第１開口部と、上方に空気を導く第２開口部とを有することを特徴とする空気調和機。
【請求項２】
第２開口部を開閉する開閉部材を設けたことを特徴とする請求項１に記載の空気調和機。
【請求項３】
第１開口部から送出される空気の風向を可変するとともに第２開口部の開放時に第１開口部を遮蔽する風向板を設けたことを特徴とする請求項１または請求項２に記載の空気調和機。
【請求項４】
第１開口部に空気を導く送風経路から分岐して第２開口部に空気を導く分岐通路を有し、前記分岐通路を開放する位置と、前記分岐通路を遮蔽して前記送風経路の壁面を形成する位置との間を移動する遮蔽部材を設けたことを特徴とする請求項１〜請求項３のいずれかに記載の空気調和機。
【請求項５】
室内の壁面に取り付けて周囲から取り入れた空気を調和して吹出口から略水平方向乃至下方向に向けて送出する空気調和機において、
前記吹出口から上方に向けて調和空気を送出できるようにし、
前記吹出口から略水平方向乃至下方向へ送出される空気の経路を遮って空気を上方へ案内する位置と、該経路上から退避する位置との間を移動する案内板を設けたことを特徴とする空気調和機。
【請求項６】
室内温度を検知する温度検知手段を設け、前記温度検知手段の検知結果に基づいて前記吹出口から上方に向けて空気を送出したことを特徴とする請求項１〜請求項５のいずれかに記載の空気調和機。
【請求項７】
内部に取り入れた空気を冷却して冷房運転または除湿運転を行うことを特徴とする請求項１〜請求項６のいずれかに記載の空気調和機。
【発明の詳細な説明】
【０００１】
【発明の属する技術分野】
本発明は、吸い込んだ空気を調和して室内に送出する空気調和機に関し、特に、空気調和機の吹出口に係るものである。
【０００２】
【従来の技術】
図２９は従来の空気調和機の室内機を示す概略側面断面図である。空気調和機の室内機本体１は、キャビネット２の前面に、吸込口４が設けられたフロントパネル３が着脱自在に取り付けられている。キャビネット２は後方側面に爪部（不図示）が設けられており、室内の壁に取り付けられた取付板（不図示）に該爪部を嵌合することにより支持される。フロントパネル３の下端部とキャビネット２の下端部との間隙には、室内機本体１の幅方向に延びる略矩形の吹出口５が形成されている。
【０００３】
室内機本体１の内部には、吸込口４から吹出口５に連通する送風経路６が形成されている。送風経路６内のキャビネット２の前方には空気を送出する送風ファン７が配されている。送風ファン７として、例えばクロスフローファン等が用いられる。
【０００４】
フロントパネル３の内面に面して、吸込口４を経て吸い込まれた空気に含まれる塵埃を捕集・除去するエアフィルタ８が設けられている。送風経路６中の送風ファン７とエアフィルタ８との間には、室内熱交換器９が配置されている。室内熱交換器９は圧縮機（不図示）に接続されており、圧縮機の駆動により冷凍サイクルが運転される。冷凍サイクルの運転によって冷房時には室内熱交換器９が周囲温度よりも低温に冷却される。また、暖房時には、室内熱交換器９が周囲温度よりも高温に加熱される。
【０００５】
室内熱交換器９の前後の下部には冷房または除湿時に室内熱交換器９から落下した結露を捕集するドレンパン１０が設けられている。送風経路６内の吹出口５の近傍には、外部に臨んで略水平方向乃至下方向の吹出角度を変更可能な横ルーバ１１ａ、１１ｂが設けられている。横ルーバ１１ａ、１１ｂの奥側には左右方向の吹出角度を変更可能な縦ルーバ１２が設けられている。
【０００６】
上記構成の空気調和機において、空気調和機の運転を開始すると、送風ファン７が回転駆動され、室外機（不図示）からの冷媒が室内熱交換器９へ流れて冷凍サイクルが運転される。室内機本体１内には吸込口４から空気が吸い込まれ、エアフィルタ８によって空気中に含まれる塵埃が除去される。
【０００７】
室内機本体１内に取り込まれた空気は室内熱交換器９と熱交換し、冷却または加熱される。そして、送風経路６を通って縦ルーバ１２及び横ルーバ１１ａ、１１ｂによって左右方向及び上下方向に向きを規制されて吹出口５から略水平方向乃至下方向に向けて室内に送出される。
【０００８】
また、空気調和機の運転の開始直後は速やかに室内の空気を循環させる必要がある。このため、送風ファン７の回転速度を高くして室内熱交換器９で熱交換された空気は吹出口５から勢いよく送出される。そして、室温と設定温度との温度差が小さくなると、送風ファン７の制御により徐々に送風量が低下する。これにより、きめ細かに室内を均一な温度分布に形成できるようになっている。
【０００９】
【発明が解決しようとする課題】
しかしながら、上記従来の空気調和機によると、空気調和機は通常、使用者の身長よりも高い位置に設置されて、吹出口５から略水平方向乃至下方向に送風される。このため、設定温度付近に達した状態で送風を継続すると使用者に常に冷たい風や暖かい風が当たることになる。従って、使用者に不快感を与える問題があった。また、除湿運転時や冷房運転時では局所的に使用者の体温を低下させて健康に害を与える問題もあった。
【００１０】
本発明は、快適性を向上するとともに健康上の安全性を向上することのできる空気調和機を提供することを目的とする。
【００１１】
【課題を解決するための手段】
上記目的を達成するために本発明は、室内の壁面に取り付けて周囲から取り入れた空気を調和して吹出口から略水平方向乃至下方向に向けて送出する空気調和機において、前記吹出口から上方に向けて調和空気を送出できるようにし、前記吹出口は略水平方向乃至下方向に空気を導く第１開口部と、上方に空気を導く第２開口部とを有することを特徴としている。この構成によると、空気調和機を運転すると第１開口部から略水平方向乃至下方向に調和空気が送出され、所定の時期になると第２開口部から上方に調和空気が送出される。
【００１４】
また本発明は、上記構成の空気調和機において、第２開口部を開閉する開閉部材を設けたことを特徴としている。この構成によると、例えば、第１開口部から空気が送出される際に第２開口部が開閉部材によって閉じられ、第２開口部から空気を送出する際に第２開口部が開閉部材によって開放される。
【００１５】
また本発明は、上記構成の空気調和機において、第１開口部から送出される空気の風向を可変するとともに第２開口部の開放時に第１開口部を遮蔽する風向板を設けたことを特徴としている。この構成によると、例えば、第１開口部から空気を送出する際に風向板により略水平方向乃至下方向に風向きが可変され、第２開口部から空気を送出する際に第１開口部が風向板により閉じられる。
【００１６】
また本発明は、上記構成の空気調和機において、第１開口部に空気を導く送風経路から分岐して第２開口部に空気を導く分岐通路を有し、前記分岐通路を開放する位置と、前記分岐通路を遮蔽して前記送風経路の壁面を形成する位置との間を移動する遮蔽部材を設けたことを特徴としている。この構成によると、第１開口部から空気を送出する際には遮蔽部材により分岐通路が閉じられて空気が遮蔽部材に案内される。第２開口部から空気を送出する際には遮蔽部材により分岐通路が開放されて調和空気が分岐通路を流通する。
【００１７】
また上記目的を達成するために本発明は、室内の壁面に取り付けて周囲から取り入れた空気を調和して吹出口から略水平方向乃至下方向に向けて送出する空気調和機において、前記吹出口から上方に向けて調和空気を送出できるようにし、前記吹出口から略水平方向乃至下方向へ送出される空気の経路を遮って空気を上方へ案内する位置と、該経路上から退避する位置との間を移動する案内板を設けたことを特徴としている。この構成によると、空気調和機を運転すると吹出口から略水平方向乃至下方向に調和空気が送出され、所定の時期になると送出された調和空気が案内板により遮られて上方に案内される。
【００１８】
また本発明は、上記構成の空気調和機において、室内温度を検知する温度検知手段を設け、前記温度検知手段の検知結果に基づいて前記吹出口から上方に向けて空気を送出したことを特徴としている。この構成によると、温度検知手段によって室内が所定の温度になったことを検知すると、吹出口から上方に調和空気が送出される。
また本発明は、上記構成の空気調和機において、内部に取り入れた空気を冷却して冷房運転または除湿運転を行うことを特徴としている。
【００１９】
【発明の実施の形態】
以下に本発明の実施形態を図面を参照して説明する。説明の便宜上、従来例の図２９と同一の部分については同一の符号を付している。図１は第１実施形態の空気調和機の室内機を示す概略側面断面図である。空気調和機の室内機本体１は、キャビネット２の前面に、吸込口４が設けられたフロントパネル３が着脱自在に取り付けられている。
【００２０】
キャビネット２は後方側面に爪部（不図示）が設けられており、室内の壁に取り付けられる取付板（不図示）に該爪部を嵌合することにより支持される。フロントパネル３の下端部とキャビネット２の下端部との間隙には、室内機本体１の幅方向に延びる略矩形の第１、第２開口部５ａ、５ｂから成る吹出口５が形成されている。
【００２１】
室内機本体１の内部には、吸込口４から吹出口５に連通する送風経路６が形成されている。送風経路６内のキャビネット２の前方には空気を送出する送風ファン７が配されている。送風ファン７として、例えばクロスフローファン等を用いることができる。
【００２２】
フロントパネル３の内面に面して、吸込口４を経て吸い込まれた空気に含まれる塵埃を捕集・除去するエアフィルタ８が設けられている。送風経路６中の送風ファン７とエアフィルタ８との間には、室内熱交換器９が配置されている。室内熱交換器９は圧縮機（不図示）に接続されており、圧縮機の駆動により冷凍サイクルが運転される。
【００２３】
冷凍サイクルの運転によって、冷房時には室内熱交換器９が周囲温度よりも低温に冷却される。暖房時には、室内熱交換器９が周囲温度よりも高温に加熱される。尚、室内熱交換器９とエアフィルタ８との間には吸い込まれた空気の温度を検知する温度センサ（不図示）が設けられている。
【００２４】
室内熱交換器９の前後の下部には冷房または除湿時に室内熱交換器９から落下した結露と捕集するドレンパン１０が設けられている。送風経路６内の吹出口５の第１開口部５ａの近傍には、外部に臨んで略水平方向乃至下方向の吹出角度を変更可能な横ルーバ（風向板）１１ａ、１１ｂが設けられている。横ルーバ１１ａ、１１ｂの奥側には左右方向の吹出角度を変更可能な縦ルーバ１２が設けられている。
【００２５】
第２開口部５ｂは送風経路６から上方に傾斜して分岐する分岐通路１３により送風経路６と連通している。分岐通路１３の両端には回動軸１４ａ、１５ａでフロントパネル３に枢支される回動板（開閉部材）１４及び回動板（遮蔽部材）１５が設けられている。回動板１５により分岐通路１３を閉じると、回動板１５が送風経路６の内壁面を形成して気流を案内する。これにより、送風経路６を流通する空気の流通抵抗の増加を防止するようになっている。
【００２６】
上記構成の空気調和機において、空気調和機の運転を開始すると、送風ファン７が回転駆動され、室外機（不図示）からの冷媒が室内熱交換器９へ流れて冷凍サイクルが運転される。室内機本体１内には吸込口４から空気が吸い込まれ、エアフィルタ８によって空気中に含まれる塵埃が除去される。
【００２７】
室内機本体１内に取り込まれた空気は室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように略水平方向乃至下方向に向けて調整空気が室内に送出される。
【００２８】
また、空気調和機の運転の開始直後は速やかに室内の空気を循環させる必要がある。このため、送風ファン７の回転速度を高くして室内熱交換器９で熱交換された空気は吹出口５から勢いよく送出される。室温と設定温度との温度差が小さくなったことを温度センサ（温度検知手段）により検知すると、送風ファン７の制御により徐々に送風量が低下する。
【００２９】
そして、図２に示すように、横ルーバ１１ａ、１１ｂが回動して第１開口部５ａが閉塞される。同時に、回動板１４、１５が回動して第２開口部５ｂ及び分岐通路１３の分岐部分が開放される。これにより、送風経路６を流通する調整空気が分岐通路１３を流通して第２開口部５ｂから送出され、矢印Ａ２に示すように上方に導かれる。従って、使用者に常に冷たい風や暖かい風が当たることがなく、使用者の不快感を防止して快適性を向上することができる。更に、冷房時には局所的に使用者の体温を低下させることがなく健康上の安全性を向上することができる。
【００３０】
尚、空気調和機によって除湿運転を行う際も同様に、室内熱交換器９との熱交換により除湿された低温の空気を上方に送出することにより、上記と同様の効果を得ることができる。また、空気調和機は、室内熱交換器内に蒸発部と凝縮部とを備えた再熱ドライ方式の除湿装置であってもよい。即ち、再熱ドライ方式の除湿装置は、蒸発部で熱交換により冷却除湿された空気が凝縮部で熱交換により昇温されて室内に送出される。この時、凝縮器で昇温しても尚、体温よりも低温の空気が常に使用者に当たることを防止することができる。
【００３１】
また、図２において、横ルーバー１１ａ、１１ｂ及び回動板１４は、一方の面が調整空気に接触し、他方の面が室内の空気に接触するため温度差によって結露を発生する場合がある。このため、横ルーバー１１ａ、１１ｂ及び回動板１４に断熱材の充填等の断熱処理を施すとより望ましい。
【００３２】
次に、図３は第２実施形態の空気調和機の室内機を示す概略側面断面図である。前述の図１、図２に示す第１実施形態と同様の部分には同一の符号を付している。第１実施形態と異なる点は、回動板１５の回動軸１５ａの位置を変更している点である。その他の部分は第１実施形態と同一である。
【００３３】
上記と同様に、空気調和機の運転を開始すると、室内機本体１内に吸込口４から吸い込まれた空気が室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように略水平方向乃至下方向に向けて室内に送出される。
【００３４】
室温と設定温度との温度差が小さくなったことを温度センサにより検知すると、送風ファン７の調整により徐々に送風量が低下する。そして、図４に示すように、横ルーバ１１ａ、１１ｂが回動して第１開口部５ａが閉塞される。同時に、回動板１４、１５が回動して第２開口部５ｂ及び分岐通路１３の分岐部分が開放される。これにより、送風経路６を流通する調整空気は分岐通路１３を流通して第２開口部５ｂから送出される。従って、第１実施形態と同様の効果を得ることができる。
【００３５】
次に、図５は第３実施形態の空気調和機の室内機の一部を示す概略斜視図である。前述の図１、図２に示す第１実施形態と同様の部分には同一の符号を付している。第１実施形態と異なる点は、第２開口部５ｂに複数の回動板１４’を設け、各回動板１４’が略垂直な回動軸１４ａを有している点である。その他の部分は第１実施形態と同一である。
【００３６】
このようにしても、送風経路６を流通する調整空気が分岐通路１３を流通して第２開口部５ｂから送出される。従って、第１実施形態と同一の効果を得ることができる。尚、フロントパネル３の下面３ａを上方に向けて傾斜しておくとより望ましい。
【００３７】
次に、図６は第４実施形態の空気調和機の室内機を示す概略側面断面図である。前述の図１、図２に示す第１実施形態と同様の部分には同一の符号を付している。第１実施形態と異なる点は、分岐通路１３の両端には、回動板１４、１５に替えて、スライド移動する移動板（開閉部材）１６及び移動板（遮蔽部材）２０を設けている点である。その他の部分は第１実施形態と同一である。
【００３８】
図８は移動板１６の取付部分を示す概略斜視図である。フロントパネル３の側面部３ｂには溝部３ｃが設けられ、移動板１６の端部が溝部３ｃに嵌合されている。移動板１６の端部にはラック１６ａが形成されており、側面部３ｂにはラック１６ａに噛合するピニオン２１が溝部３ｃの近傍に設けられている。これにより、ピニオン２１が回転駆動されると、矢印Ｂに示すように移動板１６がスライド移動するようになっている。尚、移動板２０についても同様の駆動機構が設けられている。
【００３９】
上記構成の空気調和機において、空気調和機の運転を開始すると、室内機本体１内に吸込口４から吸い込まれた空気が室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように略水平方向乃至下方向に向けて室内に送出される。
【００４０】
室温と設定温度との温度差が小さくなったことを温度センサにより検知すると、送風ファン７の調整により徐々に送風量が低下する。そして、図７に示すように、横ルーバ１１ａ、１１ｂが回動して第１開口部５ａが閉塞される。同時に、移動板１６、２０がスライド移動して第２開口部５ｂ及び分岐通路１３の分岐部分が開放される。
【００４１】
これにより、送風経路６を流通する調整空気は分岐通路１３を流通して第２開口部５ｂから送出され、矢印Ａ２に示すように上方に導かれる。従って、第１実施形態と同様の効果を得ることができる。
【００４２】
次に、図９は第５実施形態の空気調和機の室内機を示す概略側面断面図である。前述の図１、図２に示す第１実施形態と同様の部分には同一の符号を付している。第１実施形態と異なる点は、回動板１４に替えて第４実施形態と同様の移動板１６を設けている点である。その他の部分は第１実施形態と同一である。
【００４３】
空気調和機の運転を開始すると、室内機本体１内に吸込口４から吸い込まれた空気が室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように略水平方向乃至下方向に向けて室内に送出される。
【００４４】
室温と設定温度との温度差が小さくなったことを温度センサにより検知すると、送風ファン７の調整により徐々に送風量が低下する。そして、図１０に示すように、横ルーバ１１ａ、１１ｂが回動して第１開口部５ａが閉塞される。同時に、移動板１６がスライド移動して第２開口部５ｂが開放されるとともに、回動板１５が回動して分岐通路１３の分岐部分が開放される。これにより、送風経路６を流通する調整空気は分岐通路１３を流通して第２開口部５ｂから送出される。従って、第１実施形態と同様の効果を得ることができる。
【００４５】
次に、図１１は第６実施形態の空気調和機の室内機の一部を示す概略斜視図である。前述の図６、図９に示す第４、第５実施形態と同様の部分には同一の符号を付している。本実施形態は、第４、第５実施形態の移動板１６に替えて左右方向にスライド移動する移動板１６’を有している。移動板１６’はフロントパネル３の前面部３ｅの背後に設けられている。第２開口部５ｂは前面部３ｅに形成された複数の孔部から成っている。移動板１６’には第２開口部５ｂに対応する位置に孔部１６ｅが形成されている。
【００４６】
第１開口部５ａから調整空気が送出される際には第２開口部５ｂと孔部１６ｅとが重ならないように移動板１６’が配置されて第２開口部５ｂが閉塞される。移動板１６’を矢印Ｃの方向にスライド移動して第２開口部５ｂと孔部１６ｅ、の位置が一致すると第２開口部５ｂが開放される。これにより、第２開口部５ｂから上方へ調整空気が送出され、上記と同様の効果を得ることができる。
【００４７】
次に、図１２は第７実施形態の空気調和機の室内機を示す概略側面断面図である。前述の図１、図２に示す第１実施形態と同様の部分には同一の符号を付している。第１実施形態と異なる点は、回動板１４、１５に替えて前後にスライド移動する移動体１７を設けている点である。その他の部分は第１実施形態と同一である。
【００４８】
図１４は移動体１７の取付部分を示す概略斜視図である。フロントパネル３の側面部３ｂには溝部３ｄが設けられ、移動体１７の端面に突設された突起部１７ａが溝部３ｄに嵌合されている。移動体１７の突起部１７ａにはラック（不図示）が形成されており、側面部３ｂにはラックに噛合するピニオン（不図示）が溝部３ｄの近傍に設けられている。これにより、ピニオンが回転駆動されると、図１５に示すように、矢印Ｄの方向に移動体１７がスライド移動するようになっている。
【００４９】
空気調和機の運転を開始すると、室内機本体１内に吸込口４から吸い込まれた空気が室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように略水平方向乃至下方向に向けて室内に送出される。
【００５０】
室温と設定温度との温度差が小さくなったことを温度センサにより検知すると、送風ファン７の調整により徐々に送風量が低下する。そして、図１３に示すように、横ルーバ１１ａ、１１ｂが回動して第１開口部５ａが閉塞される。同時に、移動体１７がスライド移動して第１開口部５ａの上方を開放し、第２開口部５ｂ及び分岐通路１３が現れる。
【００５１】
これにより、送風経路６を流通する調整空気は分岐通路１３を流通して第２開口部５ｂから送出され、矢印Ａ２に示すように上方に導かれる。従って、第１実施形態と同様の効果を得ることができるとともに、部品点数を削減することができる。
【００５２】
次に、図１６は第８実施形態の空気調和機の室内機を示す概略側面断面図である。前述の図１、図２に示す第１実施形態と同様の部分には同一の符号を付している。第１実施形態と異なる点は、回動板１４、１５に替えて、回動軸１８ａでフロントパネル３に枢支される回動体１８を設けている点である。その他の部分は第１実施形態と同一である。
【００５３】
空気調和機の運転を開始すると、室内機本体１内に吸込口４から吸い込まれた空気が室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように略水平方向乃至下方向に向けて室内に送出される。
【００５４】
室温と設定温度との温度差が小さくなったことを温度センサにより検知すると、送風ファン７の調整により徐々に送風量が低下する。そして、図１７に示すように、横ルーバ１１ａ、１１ｂが回動して第１開口部５ａが閉塞される。同時に、回動体１８が回動して第１開口部５ａの上方を開放し、第２開口部５ｂ及び分岐通路１３が現れる。
【００５５】
これにより、送風経路６を流通する調整空気は分岐通路１３を流通して第２開口部５ｂから送出され、矢印Ａ２に示すように上方に導かれる。従って、第１実施形態と同様の効果を得ることができるとともに、部品点数を削減することができる。
【００５６】
次に、図１８は第９実施形態の空気調和機の室内機を示す概略側面断面図である。前述の図１、図２に示す第１実施形態と同様の部分には同一の符号を付している。第１実施形態と異なる点は、回動板１４、１５に替えて、フロントパネル３に回転可能に支持される回転体２２を設けている点である。その他の部分は第１実施形態と同一である。
【００５７】
図２０は回転体２２の詳細を示す斜視図である。円柱状の回転体２２は周面を貫通する孔部２２ａが形成されている。回転体２２の両端面２２ｃにはフロントパネル３（図１８参照）の側面部に支持される軸部２２ｂが突設されている。そして、図１８に示すように、フロントパネル３に一体に形成された孔部３ｆに嵌合して回転可能になっている。孔部３ｆの一部はフロントパネル３の前面に向かって開口して第２開口部５ｂを形成するとともに、送風経路６に面して開口している。
【００５８】
空気調和機の運転を開始すると、室内機本体１内に吸込口４から吸い込まれた空気が室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように略水平方向乃至下方向に向けて室内に送出される。
【００５９】
室温と設定温度との温度差が小さくなったことを温度センサにより検知すると、送風ファン７の調整により徐々に送風量が低下する。そして、図１９に示すように、横ルーバ１１ａ、１１ｂが回動して第１開口部５ａが閉塞される。同時に、回転体２２が回転して孔部２２ａを介して送風経路６とフロントパネル３の前方とが連通する。
【００６０】
これにより、孔部２２ａによって分岐通路１３が形成されるとともに第２開口部５ｂが開放される。そして、送風経路６を流通する調整空気は分岐通路１３を流通して第２開口部５ｂから送出され、矢印Ａ２に示すように上方に導かれる。従って、第１実施形態と同様の効果を得ることができる。
【００６１】
次に、図２１は第１０実施形態の空気調和機の室内機の一部を示す概略斜視図である。本実施形態は前述の図１８、図１９に示す第９実施形態の回転体２２に替えて略垂直な回動軸を有する回転体２２’を有している。その他の部分は第９実施形態と同一である。このようにしても、送風経路６を流通する調整空気が孔部２２ａから成る分岐通路１３を流通して第２開口部５ｂから送出される。従って、上記と同一の効果を得ることができる。
【００６２】
次に、図２２は第１１実施形態の空気調和機の室内機を示す概略側面断面図である。前述の図１、図２に示す第１実施形態と同様の部分には同一の符号を付している。第１実施形態と異なる点は、回動板１４、１５に替えて、伸縮自在な伸縮部材１９を設けている点である。その他の部分は第１実施形態と同一である。伸縮部材１９はゴム等から成る蛇腹により形成され、フロントパネル３の下端に取り付けられている。
【００６３】
空気調和機の運転を開始すると、室内機本体１内に吸込口４から吸い込まれた空気が室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように略水平方向乃至下方向に向けて室内に送出される。
【００６４】
室温と設定温度との温度差が小さくなったことを温度センサにより検知すると、送風ファン７の調整により徐々に送風量が低下する。そして、図２３に示すように、横ルーバ１１ａ、１１ｂが回動して第１開口部５ａが閉塞される。同時に、伸縮部材１９が下方に向けて縮んで第２開口部５及び分岐通路１３が現れる。
【００６５】
これにより、送風経路６を流通する調整空気は分岐通路１３を流通して第２開口部５ｂから送出され、矢印Ａ２に示すように上方に導かれる。従って、第１実施形態と同様の効果を得ることができる。
【００６６】
次に、図２４は第１２実施形態の空気調和機の室内機の一部を示す概略斜視図である。本実施形態は前述の図２２、図２３に示す第１１実施形態の伸縮部材１９に替えて左右方向に伸縮する伸縮部材１９’を有している。その他の部分は第１１実施形態と同一である。このようにしても、送風経路６を流通する調整空気を分岐通路１３を流通して第２開口部５ｂから送出させることができる。従って、上記と同一の効果を得ることができる。
【００６７】
次に、図２５は第１３実施形態の空気調和機の室内機を示す概略側面断面図である。前述の図１、図２に示す第１実施形態と同様の部分には同一の符号を付している。第１実施形態と異なる点は、回動板１４、１５を省いている点である。その他の部分は第１実施形態と同一である。
【００６８】
空気調和機の運転を開始すると、室内機本体１内に吸込口４から吸い込まれた空気が室内熱交換器９と熱交換し、冷却または加熱される。そして、送風経路６を通って縦ルーバ１２及び横ルーバ１１ａ、１１ｂによって左右及び上下方向に向きを規制される。送風経路６は下方に向かって傾斜しているため、調整空気は分岐通路１３へ殆ど流入することなく吹出口５から矢印Ａ１に示すように略水平方向乃至下方向に向けて室内に送出される。
【００６９】
室温と設定温度との温度差が小さくなったことを温度センサにより検知すると、送風ファン７の調整により徐々に送風量が低下する。そして、図２６に示すように、横ルーバ１１ａ、１１ｂが回動して第１開口部５ａが閉塞される。これにより、送風経路６を流通する調整空気は横ルーバ１１ａ、１１ｂにより遮られる。そして、分岐通路１３を流通して第２開口部５ｂから送出され、矢印Ａ２に示すように上方に導かれる。従って、上記と同様の効果を得ることができる。
【００７０】
次に、図２７は第１４実施形態の空気調和機の室内機を示す概略側面断面図である。前述の図１、図２に示す第１実施形態と同様の部分には同一の符号を付している。第１実施形態と異なる点は、分岐通路１３及び回動板１４、１５を設けず、第１開口部５ａ（図１参照）のみから成る吹出口５の下方に案内板２３を設けている点である。その他の部分は第１実施形態と同一である。
【００７１】
案内板２３は断面形状が略Ｌ字型に形成され、回動軸２３ａによりキャビネット２に枢支されている。そして、吹出口５から送出される空気の経路上から退避する位置と、該経路を遮る位置との間を回動可能になっている。
【００７２】
空気調和機の運転を開始すると、室内機本体１内に吸込口４から吸い込まれた空気が室内熱交換器９を通過して冷媒と熱交換し、冷却または加熱される。そして、送風経路６を通って縦ルーバ１２及び横ルーバ１１ａ、１１ｂによって左右及び上下方向に向きを規制される。案内板２３は吹出口５の前方から退避し、吹出口５から矢印Ａ１に示すように略水平方向乃至下方向に向けて調整空気が室内に送出される。
【００７３】
室温と設定温度との温度差が小さくなったことを温度センサにより検知すると、送風ファン７の調整により徐々に送風量が低下する。そして、図２８に示すように、案内板２３が回動して吹出口５の前方を遮り、上方に向かって開口する吹出口５’が形成される。これにより、送風経路６を流通する調整空気は案内板２３に案内されて吹出口５’から矢印Ａ２に示すように上方に導かれる。従って、上記と同様の効果を得ることができる。
【００７４】
【発明の効果】
本発明によると、吹出口から上方に向けて調和された空気を送出できるようにしたので、使用者に常に冷たい風や暖かい風が当たることがなく、使用者の不快感を防止して快適性を向上することができる。
【００７５】
また本発明によると、温度検知手段の検知結果に基づいて吹出口から上方に向けて空気を送出するので、室内温度が所定の温度に到達するまでは略水平方向乃至下方向に調整空気を送出して室内を急速に冷却あるいは暖房することができる。
【００７６】
また本発明によると、吹出口は略水平方向乃至下方向に空気を導く第１開口部と、上方に空気を導く第２開口部とを有するので、第１開口部及び第２開口部の開閉により容易に空気の送出方向を可変することができる。
【００７７】
また本発明によると、第２開口部を開閉する開閉部材を設けているので容易に上方に空気を送出することができる。
【００７８】
また本発明によると、第１開口部から送出される空気の風向を可変する風向板により第１開口部を遮蔽して第２開口部から上方に空気を送出するので、第１開口部を遮蔽する部材を別途設ける必要がなく部品点数を削減することができる。
【００７９】
また本発明によると、分岐通路を開閉する遮蔽部材によって送風経路の壁面を形成するので、遮蔽部材により分岐通路を閉じた際に送風経路の流通抵抗の増加を防止することができる。
【００８０】
また本発明によると、吹出口から送出される空気の経路を遮って空気を上方へ案内する位置と、該経路上から退避する位置との間を移動する案内板を設けているので、容易に上方に空気を送出することができる。
【００８１】
また本発明によると、内部に取り入れた空気を冷却して冷房運転または除湿運転を行う際に送出された低温の空気により局所的に使用者の体温を低下させることがなく健康上の安全性を向上することができる。
【図面の簡単な説明】
【図１】  本発明の第１実施形態の空気調和機の室内機を示す概略側面断面図である。
【図２】  本発明の第１実施形態の空気調和機の室内機の動作を示す概略側面断面図である。
【図３】  本発明の第２実施形態の空気調和機の室内機を示す概略側面断面図である。
【図４】  本発明の第２実施形態の空気調和機の室内機の動作を示す概略側面断面図である。
【図５】  本発明の第３実施形態の空気調和機の室内機の一部を示す概略斜視図である。
【図６】  本発明の第４実施形態の空気調和機の室内機を示す概略側面断面図である。
【図７】  本発明の第４実施形態の空気調和機の室内機の動作を示す概略側面断面図である。
【図８】  本発明の第４実施形態の空気調和機の室内機の一部を示す概略斜視図である。
【図９】  本発明の第５実施形態の空気調和機の室内機を示す概略側面断面図である。
【図１０】本発明の第５実施形態の空気調和機の室内機の動作を示す概略側面断面図である。
【図１１】本発明の第６実施形態の空気調和機の室内機の一部を示す概略斜視図である。
【図１２】本発明の第７実施形態の空気調和機の室内機を示す概略側面断面図である。
【図１３】本発明の第７実施形態の空気調和機の室内機の動作を示す概略側面断面図である。
【図１４】本発明の第７実施形態の空気調和機の室内機の一部を示す概略斜視図である。
【図１５】本発明の第７実施形態の空気調和機の室内機の一部を示す概略斜視図である。
【図１６】本発明の第８実施形態の空気調和機の室内機を示す概略側面断面図である。
【図１７】本発明の第８実施形態の空気調和機の室内機の動作を示す概略側面断面図である。
【図１８】本発明の第９実施形態の空気調和機の室内機を示す概略側面断面図である。
【図１９】本発明の第９実施形態の空気調和機の室内機の動作を示す概略側面断面図である。
【図２０】本発明の第９実施形態の空気調和機の室内機の一部を示す概略斜視図である。
【図２１】本発明の第１０実施形態の空気調和機の室内機の一部を示す概略斜視図である。
【図２２】本発明の第１１実施形態の空気調和機の室内機を示す概略側面断面図である。
【図２３】本発明の第１１実施形態の空気調和機の室内機の動作を示す概略側面断面図である。
【図２４】本発明の第１２実施形態の空気調和機の室内機の一部を示す概略斜視図である。
【図２５】本発明の第１３実施形態の空気調和機の室内機を示す概略側面断面図である。
【図２６】本発明の第１３実施形態の空気調和機の室内機の動作を示す概略側面断面図である。
【図２７】本発明の第１４実施形態の空気調和機の室内機を示す概略側面断面図である。
【図２８】本発明の第１４実施形態の空気調和機の室内機の動作を示す概略側面断面図である。
【図２９】従来の空気調和機の室内機の動作を示す概略側面断面図である。
【符号の説明】
１    室内機本体
２    キャビネット
３    フロントパネル
４    吸込口
５、５’  吹出口
５ａ  第１開口部
５ｂ  第２開口部
６    送風経路
７    送風ファン
８    エアフィルタ
９    室内熱交換器
１０    ドレンパン
１１ａ、１１ｂ  横ルーバ（風向板）
１２    縦ルーバ
１３    分岐通路
１４、１４’、１５  回転板
１６、１６’、２０  移動板
１７    移動体
１８    回動体
１９    伸縮部材
２２、２２’  回転体
２３    案内板
【図１】
0003916427.tif 000002
【図２】
0003916427.tif 000003
【図３】
0003916427.tif 000004
【図４】
0003916427.tif 000005
【図５】
0003916427.tif 000006
【図６】
0003916427.tif 000007
【図７】
0003916427.tif 000008
【図８】
0003916427.tif 000009
【図９】
0003916427.tif 000010
【図１０】
0003916427.tif 000011
【図１１】
0003916427.tif 000012
【図１２】
0003916427.tif 000013
【図１３】
0003916427.tif 000014
【図１４】
0003916427.tif 000015
【図１５】
0003916427.tif 000016
【図１６】
0003916427.tif 000017
【図１７】
0003916427.tif 000018
【図１８】
0003916427.tif 000019
【図１９】
0003916427.tif 000020
【図２０】
0003916427.tif 000021
【図２１】
0003916427.tif 000022
【図２２】
0003916427.tif 000023
【図２３】
0003916427.tif 000024
【図２４】
0003916427.tif 000025
【図２５】
0003916427.tif 000026
【図２６】
0003916427.tif 000027
【図２７】
0003916427.tif 000028
【図２８】
0003916427.tif 000029
【図２９】
0003916427.tif 000030